(57)【要約】      （修正有）【課題】テーブルユニットの高さを調整できると共に、ベース体上に配置される診療機器に電源を提供することができる医療用カートを提供する。【解決手段】電源を備えるベース体１０と、高さを調整できる調整装置２０と、他の機能を有するテーブルユニット３０とを含み、電源箱は、充電可能なバッテリを備える。下部に複数のキャスターを備えることより、自由に移動することができる。該調整装置は、上下移動可能な駆動軸を備える駆動装置を有する。該テーブルユニットは、該調整装置の上部に設置され、該駆動装置と連結することから、該駆動装置の上下移動によってカートの高さを調整することができる。【選択図】図１
0003160128.tif 000002
【実用新案登録請求の範囲】
【請求項１】
下部に設置される複数のキャスターを備える下部カバー体と、分離可能に該下部カバー体に設置される上部カバー体とを備えるベース体と、
前記上部カバー体を貫くように前記下部カバー体の上面に設置される結合板と、該結合板に設置されると共に、上下移動可能な駆動軸とを備える駆動装置と、上端に周設される連結板と、外周面に軸方向に沿って形成される少なくとも１つの溝部と、該溝部の周囲に周設される位置決め板と、回転可能に該位置決め板に嵌設されると共に、該溝部の中に配置される複数のボールとを備えると共に、該駆動装置に周設されるように、該駆動軸の上端に当接される内管と、該内管に周設されると共に、下部が該駆動装置の結合板に固定されるように、該駆動装置の上下移動によって該内管を軸方向に沿って上下移動させるために、該内管の内部の複数のボールと当接する外管とを有する調整装置と、
底面が前記連結板に結合される結合ベースと、該結合ベースに結合されるテーブルと、該テーブルに設置されると共に、前記駆動装置と連結するボタンとを備え、前記調整装置の上部に設置されるテーブルユニットとを有することを特徴とする医療用カート。
【請求項２】
前記ベース体は、前記下部カバー体の内部前側に設置されるバッテリと、該下部カバー体及び上部カバー体の内部に設置されると共に、該バッテリと電気接続する充電コンセントと、該下部カバー体及び上部カバー体の内部に設置されると共に、該バッテリと充電コンセントの電源を転換可能な制御器とを有し、
前記テーブルは、前記ベース体の制御器と電気接続すると共に、残電量を表示することができる電量モニタを備えることを特徴とする請求項１に記載の医療用カート。
【請求項３】
前記テーブルは、前記結合ベースの上部に重なるように設置され、該結合ベースの上部に固定される下層部と、回動自在に該下層部の後側に枢結される上層部と、該上層部の前側に着脱可能に嵌設されるカバー板とを備え、
前記駆動軸は、上端に設置される気圧スイッチと、上端及び該気圧スイッチを被覆する軸カバーと、該軸カバーの内部に設置されると共に、該気圧スイッチに当接される油圧弁とを備え、
前記内管は、前記連結板の上側に位置すると共に、上端周面に穿設される開口と、前記駆動軸の上端に当接されると共に、上端内部に設置される上板とを備え
前記ボタンは、油槽と、該油槽と連通すると共に、前記開口を通過して前記軸カバー及び油圧弁と連結する油管とを備え、使用時には、該ボタンを圧押し、該油槽の油を該油管から油圧弁へ流入させることによって気圧スイッチを駆動させることを特徴とする請求項２に記載の医療用カート。
【請求項４】
前記テーブルは、パソコン用モニタの底部を挿設させるために、前記上層部のカバー板の下側に設置されるモニタ連結部と、カートのハンドルを形成するために、前記電量モニタの両側に位置してそれぞれ前記上層部の後側に穿設されるハンドル握持孔とを備えることを特徴とする請求項３に記載の医療用カート。
【請求項５】
前記調整装置は、前記外管の周囲に位置する結合筒カバーを備えると共に、該外管に周設されると共に、前記結合板に固定される装飾筒カバーを備え、
前記ボタンは、その外側を被装するボタンカバーを備えることを特徴とする請求項４に記載の医療用カート。
【請求項６】
前記結合ベースは、後側に摺動可能に設置されると共に、引き出し可能な摺動板と、両側内面にそれぞれ設置されると共に、該摺動板と結合するように、該摺動板を摺動させる２つの摺動レールと、カルテなどの資料を載せるために、該結合ベースの前側外面に設置されるケースと、コップを載せるために、該結合ベースの側部外面に設置されるコップ置き板とを有することを特徴とする請求項５に記載の医療用カート。
【請求項７】
前記ベース体は、前記下部カバー体の内部における後側に設置されると共に、前記バッテリと電気接続する放熱器と、該下部カバー体の側面に穿設される放熱孔とを有することを特徴とする請求項６に記載の医療用カート。
【請求項８】
前記ベース体における下部後側のキャスターにブレーキが設けられることを特徴とする請求項７に記載の医療用カート。
【請求項９】
前記調整装置は、前記外管の周囲に位置する結合筒カバーを備えると共に、該外管に周設されると共に、前記結合板に固定される装飾筒カバーを備え、
前記ボタンは、その外側を被装するボタンカバーを備えることを特徴とする請求項１に記載の医療用カート。
【請求項１０】
前記結合ベースは、後側に摺動可能に設置されると共に、引き出し可能な摺動板と、両側内面にそれぞれ設置されると共に、該摺動板と結合するように、該摺動板を摺動させる２つの摺動レールと、カルテなどの資料を載せるために、該結合ベースの前側外面に設置されるケースと、コップを載せるために、該結合ベースの側部外面に設置されるコップ置き板とを有することを特徴とする請求項１に記載の医療用カート。
【考案の詳細な説明】
【技術分野】
【０００１】
本考案は、特に医療装置を載せるための、高さ調整可能な医療用カートに関するものである。
【背景技術】
【０００２】
医師、看護婦、医療関係者などが病室へ行って患者の診察をする時には、通常、医療用カートを使用する。従来の医療用カートは、移動自在とするために、底部に複数のキャスターが設けられると共に、患者のカルテ、医療品、医薬品、診療機器などを載せるために、上部に載置用ボードが設けられることから、直接に患者の病状を診察して治療することができ、また、診断情報もすぐに記録できる。
【考案の概要】
【考案が解決しようとする課題】
【０００３】
しかしながら、従来の医療用カートは、医療品や、医薬品、診療機器などを載せることはできるが、載置用ボードが既定の高さに固定されているため、様々な状況に応じて調整することが不可能であると共に、電源を備えていないことから、電源が必要な診療機器や、パソコン、パソコン用モニタなどが使えなく、さらに、パソコンで患者の病状を直接に記録することができないだけではなく、医師の診察品質をこれ以上向上させることができないといった問題があった。
【課題を解決するための手段】
【０００４】
本考案は、高さ調整が可能であると共に、診療機器を使用可能にする電源を備えた医療用カートであり、ベース体と、高さを調整するための調整装置と、他の機能を有するテーブルユニットとを含み、そのうち、ベース体は、下部に設置される複数のキャスターを備える下部カバー体と、分離可能に該下部カバー体に設置される上部カバー体とを備え、
前記調整装置は、前記上部カバー体を貫くように前記下部カバー体の上面に設置される結合板と、該結合板に設置されると共に、上下移動可能な駆動軸とを備える駆動装置と、上端に周設される連結板と、外周面に軸方向に沿って形成される少なくとも１つの溝部と、該溝部の周囲に周設される位置決め板と、回転可能に該位置決め板に嵌設されると共に、該溝部の中に配置される複数のボールとを備えると共に、該駆動装置に周設されると共に、該駆動軸の上端に当接される内管と、該内管に周設されると共に、下部が該駆動装置の結合板に固定されるように、該駆動装置の上下移動によって該内管を軸方向に沿って上下移動させるために、該内管の内部の複数のボールと当接する外管とを有し、
前記テーブルユニットは、底面が前記連結板に結合される結合ベースと、該結合ベースに結合されるテーブルと、該テーブルに設置されると共に、前記駆動装置と連結するボタンとを備え、前記調整装置の上部に設置されるものである。
【０００５】
また、前記ベース体は、充電機能を有する、前記下部カバー体の内部前側に設置されるバッテリと、該下部カバー体及び上部カバー体の内部に設置されると共に、該バッテリと電気接続する充電コンセントと、該下部カバー体及び上部カバー体の内部に設置されると共に、該バッテリと充電コンセントの電源を転換可能な制御器とを有する。尚、前記バッテリの残電量を確認するために、前記テーブルは、ベース体の制御器と電気接続すると共に、残電量を表示する電量モニタを備えることことが好ましい。
【０００６】
前記テーブルユニットは、前記調整装置の駆動軸と連結するので、該駆動軸において上下移動することができる。さらに、前記テーブルは、前記結合ベースの上部に重なるように設置され、該結合ベースの上部に固定される下層部と、回動自在に該下層部の後側に枢結される上層部と、該上層部の前側に着脱可能に嵌設されるカバー板とを備え、
前記駆動軸は、上端に設置される気圧スイッチと、上端及び該気圧スイッチを被覆する軸カバーと、該軸カバーの内部に設置されると共に、該気圧スイッチに当接される油圧弁とを備え、
前記内管は、前記連結板の上側に位置すると共に、上端周面に穿設される開口と、前記駆動軸の上端に当接されると共に、上端内部に設置される上板とを備え
前記ボタンは、前記開口を通過して前記軸カバー及び油圧弁と連結する油管とを備え、使用時には、ボタンを圧押し、油を該油管（３６１）から油圧弁へ流入させることによって気圧スイッチを駆動させる。
【０００７】
尚、前記テーブルは、パソコン用モニタの底部を挿設させるために、前記上層部のカバー板の下側に設置される該モニタ連結部と、カートのハンドルを形成するために、前記電量モニタの両側に位置してそれぞれ前記上層部の後側に穿設されるハンドル握持孔とを備えてもよい。
【０００８】
また、前記調整装置は、前記外管の周囲に位置する結合筒カバーを備えると共に、該外管に周設されると共に、前記結合板に固定される装飾筒カバーを備え、
前記ボタンは、その外側を被装するボタンカバーを備えてもよい。
【０００９】
更に、前記テーブルユニットにセットされたノートパソコンなどを使用し易くするために、前記結合ベースは、後側に摺動可能に設置されると共に、引き出し可能な摺動板と、両側内面にそれぞれ設置されると共に、該摺動板と結合するように、該摺動板を摺動させる２つの摺動レールと、患者のカルテなどの資料を載せるために、該結合ベースの前側外面に設置されるケースと、コップを載せるために、該結合ベースの側部外面に設置されるコップ置き板とを有する。
【００１０】
また、前記バッテリを使用する時には、熱が発生するが、前記ベース体が下部カバー体の内部後側に設置されると共に、該バッテリと電気接続する放熱器と、該下部カバー体の側面に穿設される放熱孔とを有することから、その熱を効率的に排出することができる。
【００１１】
その上、本考案においては、移動中のカートを停止させるために、前記ベース体における下部後側のキャスターにブレーキが設けられている。
【考案の効果】
【００１２】
本考案に係る医療用カートは上記の課題を解決するものであり、高さの調整が可能であると共に、電源の供給を可能とすることにより、診療機器も使用することができる。
【図面の簡単な説明】
【００１３】
【図１】本考案に係る医療用カートの斜視図である。
【図２】本考案に係る医療用カートの側面図である。
【図３】本考案に係る医療用カートにおけるベース体の部分拡大側面図である。
【図４】本考案に係る医療用カートにおける電気接続関係を説明するブロック図である。
【図５Ａ】本考案に係る医療用カートにおけるテーブルユニット及び調整装置を示す部分拡大側面図である。
【図５Ｂ】図５Ａにおける部分拡大断面図である。
【図６】本考案に係る医療用カートにおける調整装置の調整動作を示す部分拡大断面図である。
【図７】本考案に係る医療用カートにおけるテーブルユニットにセットされたノートパソコンを使用方法を示す部分拡大側面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１から図５Ｂに示すように、本考案に係る医療用カートは、ベース体（１０）と、調整装置（２０）と、テーブルユニット（３０）とを有し、その内、ベース体（１０）は、移動可能とするために、下部に設置される複数のキャスター（１１１）と、移動中のカートを停止させるために、下部後側のキャスター（１１１）に設置されるブレーキ（１１２）と、下部側面に穿設される放熱孔（１１３）とを備える下部カバー体（１１）と、分離可能に該下部カバー体（１１）に設置される上部カバー体（１２）と、該下部カバー体（１１）の内部前側に設置されるバッテリ（１３）と、該放熱孔（１１３）から熱を排出すると共に、該下部カバー体（１１）の内部後側に設置されると共に、該バッテリ（１３）と電気接続する放熱器（１４）と、該下部カバー体（１１）及び上部カバー体（１２）の内部に設置されると共に、該バッテリ（１３）と電気接続する充電コンセント（１５）と、該下部カバー体（１１）及び上部カバー体（１２）の内部に設置されると共に、該バッテリ（１３）と充電コンセント（１５）の電源を転換可能な制御器（１６）とを有するものである。
【００１６】
前記調整装置（２０）は、駆動装置（２１）と、内管（２２）と、外管（２３）と、装飾筒カバー（２４）とを有し、その内、該駆動装置（２１）は、前記上部カバー体（１２）を貫くように前記下部カバー体（１１）の上面に設置される結合板（２１１）と、該結合板（２１１）に設置されると共に、上下移動可能な駆動軸（２５）とを備え、該駆動軸（２５）は、上端に設置される気圧スイッチ（２５１）と、上端及び気圧スイッチ（２５１）を被覆する軸カバー（２５２）と、該軸カバー（２５２）の内部に設置されると共に、該気圧スイッチ（２５１）に当接される油圧弁（２５３）とを備えるものである。
【００１７】
前記内管（２２）は、前記駆動装置（２１）に周設され、該駆動軸（２５）の上端に当接され、上端のやや下側の箇所に周設される連結板（２２１）と、該連結板（２２１）の上側に位置すると共に、上端周面に穿設される開口（２２２）と、該駆動軸（２５）の上端に当接されると共に、上端内部に設置される上板（２２３）と、外周面に軸方向に沿って形成される少なくとも１つの溝部（２２４）と、該溝部（２２４）の周囲に周設される位置決め板（２２６）と、回転可能に該位置決め板（２２６）に嵌設されると共に、該溝部（２２４）の中に配置される複数のボール（２２５）とを備えるものである。
【００１８】
前記外管（２３）は、前記内管（２２）に周設されると共に、下部が前記駆動装置（２１）の結合板（２１１）に固定されるように、該駆動装置（２１）の上下移動によって該内管（２２）を軸方向に沿って上下移動させるために、前記内管（２２）の内部の複数のボール（２２５）と当接する。また、前記装飾筒カバー（２４）は、前記内管（２２）及び外管（２３）に周設されると共に、前記結合板（２１１）に固定されるように、該外管（２３）の周囲に位置する結合筒カバー（２４１）を備えるものである。
【００１９】
前記テーブルユニット（３０）は、前記調整装置（２０）の上部に設置され、底面が前記連結板（２２１）に結合される結合ベース（３１）と、該結合ベース（３１）の上部前側に結合されるテーブル（３２）とを備え、そのうち、結合ベース（３１）は、後側に摺動可能に設置されると共に、引き出し可能な摺動板（３３）と、両側内面にそれぞれ設置されると共に、該摺動板（３３）と結合するように、該摺動板（３３）を摺動させる２つの摺動レール（３１１）と、カルテなどの資料を載せるために、該結合ベース（３１）の前側外面に設置されるケース（３４）と、コップを載せるために、該結合ベース（３１）の側部外面に設置されるコップ置き板（３５）とを有するものである。
【００２０】
前記テーブル（３２）は、前記結合ベース（３１）の上部に重なるように設置され、該結合ベース（３１）の上部に固定される下層部（符号なし）と、回動自在に該下層部の後側に枢結される上層部と、該上層部の前側に着脱可能に嵌設される蓋カバー（３２１）とを備えるものである。
【００２１】
さらに、前記テーブル（３２）は、ボタン（３６）と、電量モニタ（３７）と、モニタ連結部（３８）と、２つのハンドル握持孔（３９）とを有し、そのうちボタン（３６）は、油槽と、該油槽と連結し、前記結合ベース（３１）の側部に位置し、前記開口（２２２）を通過して前記軸カバー（２５２）及び油圧弁（２５３）と連結する油管（３６１）と、その外側を被覆するボタンカバー（３６２）とを備えるものである。使用時には、前記ボタン（３６）を圧押し、油槽の油を該油管（３６１）から油圧弁（２５３）に流入させることによって気圧スイッチ（２５１）を駆動させる。尚、前記ボタン（３６）が不注意で押されてしまうことを防ぐために、該ボタン（３６）の本体の周囲又は底部にボタンカバー（３６２）が被装されることが好ましい。
【００２２】
前記電量モニタ（３７）は、前記テーブル（３２）の上層部の後側上面に設置されると共に、前記ベース体（１０）の制御器（１６）と電気接続されるものである。前記モニタ連結部（３８）は、パソコン用モニタの底部を挿設させるために、前記上層部の前側におけるカバー板（３２１）の下側に設置され、前記ハンドル握持孔（３９）は、カートのハンドルを形成するために、該電量モニタ（３７）の両側に位置してそれぞれ前記上層部の後側に穿設されることが好ましい。
【００２３】
図５Ａ，図５Ｂ、及び図６に示すように、本考案に係る医療用カートは、調整装置（２０）によってテーブルユニット（３０）の高さを調整する機能と、ベース体（１０）に配置される診療機器にの電源を供給する機能を具備する。
【００２４】
本考案に係る医療用カートのテーブルユニット（３０）の高さを調整する時は、ボタン（３６）を圧押し、該ボタン（３６）の油槽にある油を、油管（３６１）を介して油圧弁（２５３）に流入させ、該油圧弁（２５３）により気圧スイッチ（２５１）を駆動させ、駆動軸（２５）を上方或いは下方へ移動させる。この構成によれば、内管（２２）の上板（２２３）と駆動軸（２５）との当接関係によって、該内管（２２）が駆動軸（２５）と連動して外管（２３）の内部において軸方向に沿って移動となることことから、前記テーブルユニット（３０）の結合ベース（３１）が内管（２２）の連結板（２２１）と結合するので、該テーブルユニット（３０）全体を上方或いは下方へ移動させて調整することができる。
【００２５】
更に、本考案に係る医療用カートは、ベース体（１０）の充電コンセント（１５）と、制御器（１６）と、バッテリ（１３）とを備えることから、カートに配置されたパソコン用モニタ、パソコン、電力必要な診療機器などに電力を供給することができる。その上、前記テーブルユニット（３０）の上層部には、電量モニタ（３７）が設けられるので、バッテリ（１３）の残電量を表示することができ、診察時には、カルテや診察に係るものをコップ置き板（３５）やケース（３４）に置くこともできる。
【００２６】
図７に示すように、本考案に係る医療用カートは、テーブル（３２）の上層部が上方に回転して下層部にノートパソコン（５０）を配置することができ、該テーブル（３２）の上層部を、カバー板（３２１）を解放して下方に回転させると、ノートパソコン（５０）を収容状態にすることができる。また、前記ノートパソコン（５０）と連結しているマウス（図示せず）やキーボード（符号なし）は、結合ベース（３１）の摺動板（３３）に配置され、使用時には、該結合ベース（３１）の摺動レール（３１１）によって摺動板（３３）が引き出し可能であるので、医師や、看護婦、医療関係者などに対して、非常に使い易い構造となっている。
【産業上の利用可能性】
【００２７】
本考案は上記の構成を有するので、調整装置によってテーブルユニットの高さを調整できると共に、ベース体上に配置される診療機器に電源を提供することもできる。
【符号の説明】
【００２８】
１０    ベース体
１１    下部カバー体
１１１  キャスター
１１２  ブレーキ
１１３  放熱孔
１２    上部カバー体
１３    バッテリ
１４    放熱器
１５    充電コンセント
１６    制御器
２０    調整装置
２１    駆動装置
２１１  結合板
２２    内管
２２１  連結板
２２２  開口
２２３  上板
２２４  溝部
２２５  ボール
２２６  位置決め板
２３    外管
２４    装飾筒カバー
２４１  結合筒カバー
２５    駆動軸
２５１  気圧スイッチ
２５２  軸カバー
２５３  油圧弁
３０    テーブルユニット
３１    結合ベース
３１１  摺動レール
３２    テーブル
３２１  カバー板
３３    摺動板
３４    ケース
３５    コップ置き板
３６    ボタン
３６１  油管
３６２  ボタンカバー
３７    電量モニタ
３８    モニタ連結部
３９    ハンドル握持孔
５０    ノートパソコン
【図１】
0003160128.tif 000003
【図２】
0003160128.tif 000004
【図３】
0003160128.tif 000005
【図４】
0003160128.tif 000006
【図５Ａ】
0003160128.tif 000007
【図５Ｂ】
0003160128.tif 000008
【図６】
0003160128.tif 000009
【図７】
0003160128.tif 000010